(57)【特許請求の範囲】
【請求項１】
前後方向と、前記前後方向に直交する幅方向とを有する吸収性物品において、
吸収体を有する本体部と、
前記本体部よりも幅方向外側に突出し、着用者の下着の非肌当接面側に折り返されるウイング部と、
前記ウイング部よりも後方において、前記本体部よりも幅方向外側に突出するフラップ部と、を備え、
前記フラップ部は、
前記フラップ部の幅方向の長さが、その前後の領域の幅方向長さよりも短く形成された括れ部と、
前記括れ部よりも前側に位置し、前記括れ部よりも幅方向外側に突出する第１フラップ部と、
前記括れ部よりも後側に位置し、前記括れ部よりも幅方向外側に突出する第２フラップ部と、を備えており、
前記フラップ部には、前記フラップ部の厚み方向において凹む凹み部が形成されており、
前記凹み部は、前記ウイング部の後内側端部から後方に延びる第１凹み部と、後方に向かうにつれて幅方向内側から幅方向外側に線状に連続的に延びており、前記第１凹み部から分岐して前記括れ部に到達する第２凹み部と、を有する吸収性物品。
【請求項２】
前記第１フラップ部の幅方向における外側端部は、前記第１フラップ部の前記前後方向における中心よりも後方に位置し、
前記第２フラップ部の幅方向における外側端部は、前記第２フラップ部の前記前後方向における中心よりも後方に位置する、請求項１に記載の吸収性物品。
【請求項３】
前記第２フラップ部の幅方向における外側端部は、前記第１フラップ部の幅方向における外側端部よりも前記幅方向外側に位置する、請求項２に記載の吸収性物品。
【請求項４】
前記フラップ部の前記下着に対する当接面には、下着に対して着脱自在に接着する接着部が設けられており、
前記凹み部は、前記厚み方向において前記接着部に重ならない位置に設けられている、請求項１から請求項３のいずれかに記載の吸収性物品。
【請求項５】
前記フラップ部の着用者に対する当接面は、エアースルー不織布によって構成されている、請求項１から請求項４のいずれかに記載の吸収性物品。
【発明の詳細な説明】
【技術分野】
【０００１】
本発明は、生理用ナプキン等の吸収性物品に関し、特に吸収性物品の後部において吸収体よりも幅方向外側に延出するフラップ部のよれや皺を抑制できる吸収性物品に関する。
【背景技術】
【０００２】
特許文献１には、吸収性物品の後部において吸収体よりも幅方向外側に延出する後部フラップを有し、この後部フラップにエンボス加工によって凹凸部を形成した吸収性物品としての生理用ナプキンが記載されている。特許文献１の生理用ナプキンの後部フラップは、エンボス加工によって剛性が高められている。後部フラップの剛性を高めることにより、装着時の後部フラップのよれや皺を防止することができる。
【先行技術文献】
【特許文献】
【０００３】
【特許文献１】特開２００３−３３９７６５号公報（図１、段落００１６等）
【発明の概要】
【発明が解決しようとする課題】
【０００４】
しかし、上述の生理用ナプキンは、以下の問題点があった。
【０００５】
特許文献１に記載の生理用ナプキンは、後部フラップの剛性が比較的高いため、身体の丸みに沿って後部フラップが適切に配置されないおそれがある。よって、生理用ナプキンが身体にフィットせず、体液の漏れが発生し、装着感が悪化するおそれがある。また、後部フラップ部が硬いため、例えば、皺や折り目が形成された場合に硬い皺や折り目が着用者に当たって、装着感が悪化するそれがある。
【０００６】
本発明は、上述の課題に鑑みてなされたものであり、装着時におけるフラップ部の皺やよれを抑制し、かつ着用者の身体に沿って配置して装着感の悪化を抑制できる吸収性物品を提供することを目的とする。
【課題を解決するための手段】
【０００７】
上述した課題を解決するため、本発明に係る吸収性物品は、前後方向（長手方向Ｌ）と、前記前後方向に直交する幅方向（幅方向Ｗ）とを有する吸収性物品において、吸収体（吸収体３０）を有する本体部（本体部２）と、前記本体部よりも幅方向外側に突出し、着用者の下着の非肌当接面側に折り返されるウイング部（ウイング部４３）と、前記ウイング部よりも後方において、前記本体部よりも幅方向外側に突出するフラップ部（フラップ部６０）と、を備え、前記フラップ部は、前記フラップ部の幅方向の長さが、その前後の領域の幅方向長さよりも短く形成された括れ部（第１括れ部６１）と、前記括れ部よりも前側に位置し、前記括れ部よりも幅方向外側に突出する第１フラップ部(第１フラップ部６３)と、前記括れ部よりも後側に位置し、前記括れ部よりも幅方向外側に突出する第２フラップ部（第２フラップ部６４）と、を備えており、前記フラップ部には、前記フラップ部の厚み方向において凹む凹み部（凹み部７０）が形成されており、前記凹み部は、後方に向かうにつれて幅方向内側から幅方向外側に延びることを要旨とする。
【発明の効果】
【０００８】
ウイング部は、着用者が脚を閉じた際等に幅方向外側から内側に向かって力が掛かる部分である。フラップ部は、ウイング部よりも後方に配置されており、幅方向外側から幅方向内側に向かって力がかかった際に、ウイング部が位置する前方から後方に向かって力がかかる。このとき、フラップ部は、括れ部を基点に変形することにより、前方からの力を吸収することができる。
【０００９】
ウイング部側からフラップ部に掛かる力は、括れ部によって吸収されるため、括れ部よりも後方に伝播する力を低減することができる。よって、ウイング部側からの力がフラップ部全体に伝播することを抑制し、フラップ部全体に皺やよれが発生することを防止できる。
【００１０】
また、後方に向かうにつれて幅方向内側から幅方向外側に延びるように凹み部を形成することにより、凹み部が力の掛かる方向に沿うため、凹み部が折り起点となり、フラップ部が自然と折り畳まれる。よって、フラップ部が身体に対しても、下着に対しても無理なく適合し易くなる。したがって、フラップ部に無秩序な皺が発生し難くなり、違和感のない変形ができ、すっきりした装着感が得られる。
【図面の簡単な説明】
【００１１】
【図１】第１の実施形態に係る吸収性物品の肌当接面側から見た平面図である。
【図２】図１に示す吸収性物品の背面図である。
【図３】図１に示すＡ−Ａ’断面の模式断面図である。
【図４】図１に示す吸収性物品を下着に装着した状態の模式図である。
【図５】図４に示すＢ−Ｂ’断面の模式断面図である。
【図６】第２の実施形態に係る吸収性物品の肌当接面側から見た平面図である。
【図７】第３の実施形態に係る吸収性物品の肌当接面側から見た平面図である。
【発明を実施するための形態】
【００１２】
（第１の実施形態）
図１から図３を参照して、第１の実施形態に係る吸収性物品１について説明する。図１は、吸収性物品の平面図であり、図２は、吸収性物品の背面図である。図３は、図１に示すＡ−Ａ’断面図である。本実施形態に係る吸収性物品１は、例えば、生理用ナプキンである。
【００１３】
吸収性物品１は、着用者の肌に当接する表面シート１０と、液体を透過しない液不透過性の裏面シート２０と、吸収体３０とを有する。吸収体３０は、表面シート１０と裏面シート２０との間に配設される。従って、吸収体３０は、図１及び図２において破線で示される。吸収体３０は、吸収性物品１の前後方向に沿った長手方向Ｌ及び幅方向Ｗにおける中央部分に配設される。
【００１４】
吸収性物品１は、吸収体３０を有する本体部２と、本体部２よりも幅方向外側に配置されるウイング部４３と、ウイング部４３の後方において本体部２よりも幅方向外側に配置されるフラップ部６０と、を備える。ウイング部４３は、着用者の下着の非肌当接面側に折り返されるように構成されている。
【００１５】
図１に、長手方向におけるウイング部の領域ＲＡと、長手方向におけるフラップ部の領域ＲＢとを図示して示す。本実施の形態におけるフラップ部は、本体部２よりも幅方向外側に延出した領域であって、ウイング部の後側端部から後方に延びている。フラップ部６０の前側端部となるウイング部の後側端部は、ウイング部４３とフラップ部６０との間において最も幅方向内側に位置する部分である。フラップ部６０の後側端部は、吸収性物品の後側端部近傍において前後の領域よりも内側に括れた部分である。本実施の形態におけるフラップ部の後側端部は、後述する第１凹み部７１の後側端部と一致する。なお、フラップ部６０の後側端部は、吸収性物品の後側端部と一致していてもよいし、吸収性物品の後側端部と一致していなくてもよい。
【００１６】
更に、吸収性物品１は、幅方向Ｗにおいて吸収体３０の外側に設けられるサイドシート４１を備える。本体部２は、平面視にて吸収体３０が配置された領域であり、表面シート１０、裏面シート２０及び吸収体３０が積層された領域である。
【００１７】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１８】
裏面シート２０は、表面シート１０の長さと略同一の長さを有する。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。裏面シート２０は、不透液性且つ透湿性であることが望ましく、例えばポリエチレンやポリプロピレン等のオレフィン系樹脂に無機充填剤を溶融混練したものを延伸処理した微多孔性シートによって構成することができる。
【００１９】
吸収体３０は、親水性繊維、パルプを含む。吸収体３０は、経血などの体液を吸収可能な材料によって形成される。吸収体３０は、親水性繊維又は粉体をエアレイド法によって積層して形成されてもよいし、親水性繊維又は粉体をエアレイド法によってシート状に成形したエアレイドシートでもよいし、ティッシュ（例えば、目付１５ｇ／ｍ２）上に高吸収ポリマーを混入した粉砕パルプを配置し、ティッシュで包むことによって形成されていてもよい。
【００２０】
本実施の形態に係る吸収体３０は、綿状パルプや合成パルプ等を坪量１００〜３００ｇ／ｍ２程度に積層したパルプを保護紙（図示せず）で包むことによって構成されている。なお、吸収体３０は、全面ほぼ均一な厚みであってもよいし、非均一な厚みであってもよい。保護紙は、パルプの形状を保持するためのものであり、例えばクレープ紙やティッシュペーパーなどを用いることができる。
【００２１】
吸収体３０は、前後方向に延びる形状であり、裏面シート２０よりも略一回り程度小さい。吸収体３０の幅方向Ｗの長さは、成人女性の股間隔に対応しており、概ね５０〜８０ｍｍである。吸収体３０は、ホットメルトなどの接着剤によって裏面シート２０に接着される。また、本実施の形態では、吸収体３０と表面シート１０とは、ホットメルト接着剤によって接着されている。
【００２２】
吸収体３０は、少なくとも着用者の排泄口が当接する排泄口当接領域の中心を含むように設けられる。排泄口当接領域の中心とは、着用者の排泄口が当接する中央領域の長手方向及び幅方向の中心と一致する。例えば、ウイング部を有する吸収性物品においては、ウイング部の長手方向の中心が、中央領域の長手方向の中心となる。また、ウイング部を有しない吸収性物品においては、吸収体の幅方向の長さ寸法が最も短い位置が、中央領域の長手方向の中心となる。なお、排泄口当接領域は、着用者の股間部と当接する領域に含まれており、着用者の両脚の間に位置する。
【００２３】
サイドシート４１は、表面シート１０の両側に配設される。サイドシート４１は、表面シートと同様に、吸収体３０よりも肌当接面側に配置されており、本発明における表面シートの一部を構成する。サイドシート４１は、表面シート１０と同様の材料から選ぶことができる。但し、サイドシート４１を乗り越えて吸収性物品１外方へ経血が流れることを防止するためには、疎水性又は撥水性を有することが好ましい。サイドシート４１は、吸収体３０の側縁の一部及びウイング部４３及びフラップ部６０を覆う。
【００２４】
本実施の形態に係るサイドシート４１は、エアースルー不織布によって構成されている。エアースルー不織布は、柔らかく肌触りがよい。身体に沿ってフラップ部を配置した際に、フラップ部の質感を向上させることにより、装着感をより向上させることができる。
【００２５】
また、ウイング部４３及びフラップ部６０において、サイドシート４１と裏面シート２０との間には、中間シート３５が設けられている。中間シート３５は、エアースルー不織布によって構成されている。エアースルー不織布は、不織布に熱風を吹き付け、吹き付けた熱風が貫通することによって嵩が回復されるため、柔らかく肌触りがよい。身体に沿ってフラップ部を配置した際に、装着感をより向上させることができる。
【００２６】
中間シート３５を設けることにより、中間シートが配置されている領域と中間シートが配置されていない領域との境界で厚み差や剛性差が形成される。例えば、フラップ部６０が中間シートの端部を基点に変形し易くなる。
【００２７】
中間シート３５は、少なくともサイドシート４１と接着剤を介して間欠的に接合されている。本実施の形態に係る中間シートは、スパイラル状に配置されたホットメルト接着剤を介して表面シート１０及び裏面シート２０に接着されている。中間シート３５と表面シート１０等とを間欠的に接合することにより、表面シートに対して部分的に中間シート３５を相対移動でき、柔らかい質感を維持することができる。
【００２８】
吸収性物品１では、表面シート１０、サイドシート４１及び裏面シート２０の周縁が接合されて、吸収体３０が内封される。表面シート１０と裏面シート２０との接合方法としては、ヒートエンボス加工、超音波、又はホットメルト接着剤のいずれか一つ、又は複数を組み合わせることが可能である。
【００２９】
裏面シート２０において、下着と接触する表面には、複数の領域において接着剤が塗布された接着部が設けられている（図２参照）。接着部は、本体部の裏面側に設けられ、下着のクロッチ部に吸収性物品１を固定するための中央接着部５１と、ウイング部４３の裏面側に設けられ、クロッチ部を巻き込んでウイング部４３を固定するためのウイング接着部５２と、フラップ部６０の裏面側に設けられ、下着の後身頃に対してフラップ部を開いた状態で固定するためのフラップ接着部５３と、を有する。
【００３０】
使用前の状態では、接着剤は、図示しない剥離シートに接している。剥離シートは、使用前に接着剤が劣化するのを防止している。そして、使用時に着用者によって剥離シートが剥離される。
【００３１】
なお、剥離シートを有しない吸収性物品においては、吸収性物品を個別に包装する包装シートによって使用前に接着剤が劣化するのを防止するように構成されていてもよい。接着剤と包装シートが接する場合には、包装シートの表面には、接着剤の接着力を低下させることなく接着剤を剥離可能にする処理を施すことが望ましい。
【００３２】
吸収性物品１には、表面シート１０及び吸収体３０を厚み方向に圧縮した圧搾部８０が形成されている。なお、圧搾部は、少なくとも表面シート１０及び吸収体３０を厚み方向Ｔに圧搾されて形成されていればよく、種々の構成を採用することができる。例えば、プレス加工やエンボス加工によって形成することができ、その形状は、格子網やハニカム形状であってもよい。
【００３３】
フラップ部６０は、幅方向の長さが、その前後の領域の幅方向長さよりも短く形成された複数の括れ部が形成されている。括れ部は、前側に位置する第１括れ部６１と、後側に位置する第２括れ部６２と、を有する。
【００３４】
フラップ部６０は、第１括れ部６１よりも前側に位置する第１フラップ部６３と、第１括れ部６１よりも後方であって、第２括れ部６２よりも前方に位置する第２フラップ部６４と、第２括れ部６２よりも後方に位置する第３フラップ部６５と、を有する。
【００３５】
第１フラップ部６３は、ウイング部４３の幅方向における内側端部のうち、後方に位置する後内側端部４３ＲＩから第１括れ部６１までの領域であり、後内側端部４３ＲＩから後方に向かうにつれて幅方向外側に延びる。第１フラップ部６３において最も幅方向外側に位置する第１最大幅位置（外側端部）６３ＷＭは、第１括れ部６１よりも幅方向外側に位置する。第１最大幅位置６３ＷＭは、第１フラップ部６３の前後方向における中心よりも後方に位置する。
【００３６】
第２フラップ部６４は、第１フラップ部６３の後端部となる第１括れ部６１から第２括れ部６２までの領域であり、第１括れ部６１から後方に向かうにつれて幅方向外側に延びる。第２フラップ部６４において最も幅方向外側に位置する第２最大幅位置（外側端部）６４ＷＭは、第２括れ部６２よりも幅方向外側に位置する。第２最大幅位置６４ＷＭは、第２フラップ部６４の前後方向における中心よりも後方に位置する。
【００３７】
第３フラップ部６５は、第２フラップ部６４の後端部となる第２括れ部からフラップ部の後側端部までの領域であり、第２括れ部６２から後方に向かうにつれて幅方向外側に延びる。第３フラップ部６５において最も幅方向外側に位置する第３最大幅位置（外側端部）６５ＷＭは、第２括れ部６２よりも幅方向外側に位置する。第３最大幅位置６５ＷＭは、第３フラップ部６５の前後方向における中心よりも後方に位置する。
【００３８】
図４は、吸収性物品１を下着に装着した状態を模式的に示した図である。図５は、図４に示すＢ−Ｂ断面の断面図である。着用者の動き等による幅方向外側から内側に向けての外力は、股間部近傍に配置されるウイング部４３に挟まれた領域に作用する。
【００３９】
ウイング部４３は、着用者が脚を閉じた際等に幅方向外側から内側に向かって力が掛かる部分である。フラップ部６０は、ウイング部４３よりも後方に配置されており、幅方向外側から内側に向かって力がかかった際に、ウイング部４３が位置する前側から後方に向かって力がかかる。
【００４０】
このとき、フラップ部６０に第１括れ部６１及び第２括れ部６２が形成されているため、フラップ部６０は、第１括れ部６１及び第２括れ部６２を基点に変形して前側からの力を吸収する。例えば、ウイング部４３側から掛かる力は、第１括れ部６１によって吸収され、第１括れ部６１よりも後方に伝播する力を低減することができる。よって、前側からの力がフラップ部全体に伝播することを抑制し、フラップ部全体に皺やよれが発生することを防止できる。
【００４１】
また、第１フラップ部６３、第２フラップ６４及び第３フラップ部６５の最大幅位置は、各フラップ部の長手方向における中心よりも後側に配置されている。例えば、各フラップ部の最大幅位置が前側に位置していると、フラップ部の前側部分のみが局所的に折り曲がり、各フラップ部全体で力を吸収することができない。
【００４２】
しかし、各フラップ部の最大幅位置が、各フラップ部の前後方向における中心よりも後側に位置することにより、各フラップ部全体において力を吸収でき、局所に皺が発生することを抑制することができる。
【００４３】
また、第１最大幅位置よりも幅方向外側に第２最大幅位置が位置し、第２最大幅位置よりも幅方向外側に第３最大幅位置が位置する。すなわち、後方に位置するフラップ部の最大幅位置が、前方に位置するフラップ部の最大幅位置よりも幅方向外側に位置する。よって、前方から伝播する力を前方のフラップ部によって吸収し、次いで、後方のフラップ部によって吸収できる。すなわち、段階的に力を吸収できる。また、後方に向かうにつれて幅が広がるため、下着に沿って配置できる。
【００４４】
フラップ部６０には、厚み方向Ｔにおいて凹む凹み部７０が形成されている。凹み部７０は、図３に示すように、表面シートを構成するサイドシート４１、中間シート３５及び裏面シート２０が厚み方向に圧縮されている。凹み部７０は、ウイング部４３の後内側端部４３ＲＩから後方に延びる第１凹み部７１と、第１凹み部７１から分岐し、かつ第１括れ部６１に到達する第２凹み部７２と、第１凹み部７１から分岐し、第２括れ部６２に到達する第３凹み部７３と、第１凹み部７１から分岐し、第３フラップ部６５の幅方向外側に位置する第３最大幅置６５ＷＭ近傍に到達する第４凹み部７４と、を有する。
【００４５】
凹み部は、表面シート側から裏面シート側に向けて厚み方向に圧縮されている。表面シート側から裏面シート側に向けて圧縮して凹み部７０を形成することにより、凹み部を形成する際にフィルムからなる裏面シートが破れることを抑制できる。本実施の形態では、表面シートを構成するサイドシート４１側から裏面シート側に向けて圧縮されている。
【００４６】
第２凹み部７２、第３凹み部７３、及び第４凹み部４０は、後方に向かうにつれて幅方向内側から幅方向外側に延びるように構成されている。後方に向かうにつれて幅方向内側から幅方向外側に延びるように凹み部を形成することにより、凹み部が力の掛かる方向に沿うため、凹み部が折り起点となり、フラップ部が自然と折り畳まれる。よって、フラップ部６０が身体に対しても、下着に対しても無理なく適合し易くなる。したがって、フラップ部に無秩序な皺が発生し難くなり、違和感のない変形ができ、すっきりした装着感が得られる。
【００４７】
また、第３凹み部７３の幅方向における外側端部は、第２括れ部６２に位置するように構成されている。このような構成によれば、第３凹み部７３を介して伝播した力が第２括れ部に到達し易くなり、第２括れ部６２と第３凹み部を基点に折り畳まれ易くなる。
【００４８】
また、凹み部７０は、図２に示すように、厚み方向Ｔにおいてフラップ接着部５３に重ならない位置に設けられている。凹み部７０とフラップ接着部５３とが重ならないように構成することにより、下着とフラップ部との接着箇所によってフラップ部が折り畳まれないため、下着への接着位置に影響を及ぼすことなく、フラップ部６０を折りたたむことができる。したがって、フラップ接着部５３が下着から剥がれることを抑制し、吸収性物品１全体において接着位置を維持し易くなる。
【００４９】
次に、第１の実施形態に係る吸収性物品１の製造方法の一部について説明する。なお、説明しない方法については、既存の方法を用いることができる。吸収性物品の製造方法は、第１ステップとして、表面シート生成工程を行う。次いで、第２ステップとして、表面シート接合工程を行う。具体的には、表面シート１０とサイドシート４１とを、例えば熱溶着によって接着する。
【００５０】
第３ステップとして、吸収体成型工程を行う。具体的には、成型ドラムによって吸収体の材料となるパルプを成型して吸収体３０を成型する。なお、第１ステップ及び第２ステップの表面シートの製造工程と、第３ステップの吸収体成型工程の順序は、逆の順序であってもよい。
【００５１】
第４ステップにおいて、接合工程を行う。具体的には、第３ステップにおいて成型した吸収体と、第２ステップにおいて接合した表面シート及びサイドシートと、を接合する接合工程を行う。
【００５２】
第５ステップにおいて、第１圧搾工程を行う。具体的には、吸収体３０と表面シート１０とを厚み方向に圧縮し、圧搾部８０を形成する。第６ステップにおいて、裏面シート接合工程を行う。具体的には、圧搾部を形成した吸収体及び表面シート等と、裏面シートとを接合する。
【００５３】
第７ステップとして、第２圧搾工程を行う。具体的には、かつサイドシート４１、中間シート３５、及び裏面シート２０を厚み方向に圧縮し、凹み部７０を形成する。上記ステップの後、接着剤を塗布する工程を備える。上記の工程により、本実施の形態に係る吸収性物品を製造することができる。
【００５４】
（第２の実施形態）
次いで、図６に基づいて第２の実施形態に係る吸収性物品１Ａについて説明する。なお、以下の実施形態の説明においては、第１の実施形態と異なる構成のみ説明し、第１の実施形態と同様の構成については、同符号を用いて説明を省略する。
【００５５】
第２の実施形態に係る吸収性物品１Ａは、第１の実施形態に係る吸収性物品１と凹み部７０の形状が異なっている。第２の実施形態に係る吸収性物品１Ａの凹み部は、吸収体の幅方向外側端部から後方に向かって幅方向内側から幅方向外側に延びて傾斜する傾斜凹み部７５を複数備える。複数の傾斜凹み部７５は、互いに平行に配置されており、長手方向に沿って隣接して配置されている。
【００５６】
（第３の実施形態）
次いで、図７に基づいて第３の実施形態に係る吸収性物品１Ｂについて説明する。第３の実施形態に係る吸収性物品１Ｂは、第１の実施形態に係る吸収性物品１とフラップ部６０の形状が異なっている。第３の実施形態に係る吸収性物品１Ｂのフラップ部６０は、第１括れ部６１と第２括れ部６２のうち第１括れ部６１のみが形成されている。フラップ部６０は、第１括れ部６１の前側に配置された第１フラップ部６３と、第１括れ部６１の後側に配置された第２フラップ部６４と、を有する。第２フラップ６４の最大幅位置６４ＷＭは、第２フラップ部の長手方向における中心位置よりも前方に配置されている。
【００５７】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５８】
例えば、各フラップ部の最大幅位置は、必ずしも各フラップ部の長手方向における中心より後方に配置されていなくてもよい。また、複数のフラップ部において後方に位置するフラップ部は、必ずしも前方に位置するフラップ部よりも幅方向外側に配置されてなくてもよく、幅方向において同じ位置であってもよいし、幅方向において内側に配置されていてもよい。
【００５９】
更に、凹み部の後端部は、必ずしも括れ部に位置してなくてもよく、括れ部とずれて配置されていてもよい。また、凹み部は、フラップ接着部と必ずしも厚み方向にずれて配置されてなくてもよく、一部重なって配置されていてもよい。フラップ部の着用者に対する当接面は、必ずしもエアースルー不織布によって構成されていなくてもよい。また、中間シートは、必ずしもエアースルー不織布によって構成されていなくてもよく、更には、中間シートは、必ずしも設けられていなくてもよい。
【００６０】
本実施の形態に係る凹み部は、線状であるが、例えば、間欠的に配置された複数のドット状の集合体によって構成されていてもよい。また、本実施の形態に係る凹み部は、表面シートを構成するサイドシート側から裏面シート側に圧縮されて形成されているが、例えば、裏面シート側からサイドシート側に圧縮されて形成されていてもよい。
【符号の説明】
【００６１】
Ｌ…長手方向、  Ｓ…下着、  Ｔ…厚み方向、  Ｗ…幅方向、  １，１Ａ、１Ｂ…吸収性物品、  ２…本体部、１０…表面シート、  ２０…裏面シート、  ３０…吸収体、  ３５…中間シート、  ４１…サイドシート、  ４３…ウイング部、  ４３ＲＩ…後内側端部、  ５１…中央粘着剤、  ５２…ウイング粘着剤、  ５３…フラップ粘着剤、  ６０…フラップ部、  ６１…第１括れ部、  ６２…第２括れ部、  ６３…第１フラップ部、  ６３ＷＭ…第１最大幅位置、  ６４…第２フラップ部、  ６４ＷＭ…第２最大幅位置、  ６５…第３フラップ部、  ６５…第３最大幅位置、  ７０…凹み部、  ７１…第１凹み部、  ７２…第２凹み部、  ７３…第３凹み部、  ７４…第４凹み部、  ８０…圧搾部
【図１】
0005944218.tif 000002
【図２】
0005944218.tif 000003
【図３】
0005944218.tif 000004
【図４】
0005944218.tif 000005
【図５】
0005944218.tif 000006
【図６】
0005944218.tif 000007
【図７】
0005944218.tif 000008